(57)【要約】      （修正有）【課題】緯糸の挿入を妨げず、挿入直後の緯糸を緯糸探知装置等に押し込ませるが、不ぞろいで、探置と照合が不正確にてジェット織機の空止り又は緯糸切等がある。【解決手段】筬３の織り前１９側の上部に筬打ち方向と同方向に揺動可能に吊り下げ支持又は立ち上げ支持され、筬打ち運動の慣性により、筬３よりも織り前１９側に前進揺動して挿入直後の緯糸２を緯糸探知装置７のフック部７ａ又は緯糸探知装置７とは別に設置される緯糸係止用フック部に向けて押し込むアーム４と、該アーム４の前進移動端を規制するストッパ５と該アーム４を後退方向に付勢して、緯糸２の挿入時に緯糸２の挿入路より筬３側に後退させると共に、該アーム先端にウェート８を糸の太さにより重さを変えることにより、緯糸２を押し込む慣性力を増し、確実にフック部７ａに押し込める。又アーム４に鉄片と、センサーを設けたことにより緯糸探知が正確になった。【選択図】図１
2009249804.tif 000002
【特許請求の範囲】
【請求項１】
ジェット織機において、ノズルの反対側の筬の織前側の上部に、筬打ち方向と同方向に揺動可能に吊り下げ支持されて、筬打ち運動の慣性により、筬よりも筬前側に前進揺動して挿入直後の緯糸を、緯糸探知装置のフック部又は緯糸係止用フック部に向けて、押し込むアームと具備してなる織機において、該アーム支持部の他端にウエイトを設け、必要に応じて重さを調整する事を特徴としたジェット織機の緯糸押し込み装置。
【請求項２】
該アームの運動位置を探知するセンサーを設けた事を特徴とした請求項１の緯糸押し込み装置。
【発明の詳細な説明】
【発明の詳細な説明】
【技術分野】
【０００１】本発明は、ジェット織機の緯糸押し込み装置の改良に関するものである。
【背景技術】
【０００２】ジェット織機は開口運動で開口された緯糸例に沿って、水又は空気よりなる流体を、ノズルより噴出し、毎回必要量だけ測長した緯糸を、この噴出にのせ、織機の一側より挿入して挿入直後の緯糸を、緯糸探知装置のフック部又は緯糸係止用フック部に向けて押し込むアームと、該アームの前進移動端を規制するストッパと該アームを後退方向に付勢して緯糸挿入時に緯糸の挿入路より筬側に後退させ、筬打運動で緯糸を織り前に打ち込む動作を反復して織物を製造するものである。【０００３】上記緯糸の挿入ミスを検出するために、上記ノズル反対側に緯糸探知装置が設置されており、この装置によって挿入直後の緯糸の存在を確認し、緯糸の存在が確認出来ない時、織機の動作を停止させている。
【発明が解決しようとする課題】
【０００４】本発明は特願平０８−３５０２８７号で提案している緯糸の挿入直後の緯糸を緯糸探知装置等に押し込ませることを可能にしたジェット織機において、確実に押し込みを増して緯糸の探知を正確に行う様にする押し込み装置の改良に関するものである。
【０００５】従来の緯糸押し込み装置では、緯糸太さによって押し込み不足でフックに緯糸が掛からなかったり、細い糸の場合、緯糸が切れたりする、緯糸の探知では、緯糸がアームに押されて探知部に通過するタイミングと、クランク軸でのタイミングセンサーと照合して行っている。従ってアームの動きの不ぞろいが探知ミスとなっている。
【課題を解決するための手段】
【０００６】本発明は、上記目的を達成するため、該アームは、緯糸端を押し込む際、緯糸の太さにより慣性力を変えるために、該アーム先端部にウェートを設けて、その大きさを変える様にした。更には、従来は、押し込む量（織前線からフックの間隔を６〜７ｍｍでしたが、ストッパの位置を変えて、それ以上に押し込めるため慣性力を増すためにも、ウェートの設置が必要であり、このことによって緯糸の一側より入った糸の先端部は、張力が低い傾向であるが、押し込み量が増すことにより、先端部の張力がアップし、全幅一定張力となった。
【０００７】本発明では、緯糸探知装置で探知する時緯糸が探知部を通過する際の信号と、クランク軸１回転に１度設定した信号発生器の信号と照合しているが、本件では、フリーアームにて緯糸を押し込み探知部の通過のタイミングがずれることもある。
しかるにアームの緯糸の探知部通過をアームの動きにより、センサーで感知し、クランク軸の信号発生器の信号とアーム信号とを照合したＡＮＤ信号で探知器の緯糸通過信号との照合などでほとんどズレない照合作業が行われる様にした。
【発明実施の形態】
【０００８】図１の（Ａ）は本発明の第１実施例を示すジェット織機の緯糸挿入時の要部概略側面図、（Ｂ）はその筬打ち時の概略側面図、図２の（Ａ）は緯糸探知装置の設置側における織機の概略平面図、（Ｂ）は緯糸探知装置４アームとの関係を示す概略正面図であって、図１において１は経糸２は緯糸、３は筬、４はアーム、５はストッパー、６はバネ、２３はウェート、７は緯糸探知装置を示している。
【０００９】経糸１はワープビーム８から引き出され、バックレスト９、綾竹１０、ヘルド１１、１２、ブレストビーム１３、巻取りローラ１４、ガイドローラ１５を経て、クロスビーム１６に巻き取られる。
ヘルド１１、１２はタペットカムからなる開口運動機構（図示省略）により、緯糸２の挿入毎に経糸１を交互に上下させて緯糸２の挿入路を開口形成する。
【００１０】緯糸２の挿入機構は、図面では省略しているが、緯糸２の挿入路の一側にノズル（図示省略）が設置され、このノズルから噴出される流体にのせて、毎回予め測長された緯糸２が他側に向けて飛ばされて挿入される。このノズルと反対側には、緯糸探知装置７及びこれに対応してアーム４が設置され、また横にはみ出した緯糸の切断用のハサミ１７と、切断後の緯糸屑を捕捉するキャッチコード１８が設置されている。緯糸探知装置７は、図１に示すような二股形状をなし、筬３に向けて開口部をもち開口内部の上下に緯糸２の存在を確認するための投光器及び受光器が設置されており、さらにその奥の内側下部に挿入された緯糸２を係止するためのフック部７ａを設けており緯糸２が確認されない時織機の運動を停止させるものである。
なお、ウォータージェット織機の場合では、投光器及び受光器は水にかからない別の位置に設置され、この位置から光ファイバーケーブルで上記二股形状部まで導かれ、該光ファイバーケーブルの端末に接続されるレンズを対向状態で設置される。
【００１１】筬３は開口機構と連動する筬打ち運動機構のクランク（図示省略）によって図３に示すような態様で駆動されて、筬打ち運動を行うものである。この筬３の前面上部即ち、織り前１９側の上部には、アーム４が枢軸４ａを介して筬打ち方向と同方向に揺動可能に吊り下げ支持してある。また筬３の下部前面には、アーム４の前方への移動端を規制するストッパ５を設置している。
又アームの慣性力を増すには、アーム４そのものを重くすれば良いが、重くする事は、アーム４が太くなると云うことで、緯糸挿入を妨げとなり、良くない。アーム先端にウエイトを設ける事により、慣性力は、効率よく増すことが出来る。
該アーム４の一部に鉄片２１を設け織機フレームに個定されたセンサー２２と緯糸が、探知部位置にある直前アームの鉄片２１とセンサが感知位置に設定し糸信号と同期信号の照合を行っている。
【００１２】本発明の第１実施例は、以上の構成からなり、次に動作を簡単に説明する。
先ず開口運動で開口された経糸１列に沿って、水または空気よりなる流体を、ノズルより噴出し、毎回必要量だけ測長した緯糸２を、この噴出にのせ、織機の一側より挿入し、筬打ち運動で緯糸２を筬３により織前１９に打ち込む動作を反復して織物２０を製造し、クロスビームに巻き取って行く。
【００１３】上記緯糸２の挿入時には、アーム４を緯糸２の挿入路より筬３側に後退させておくことができ、緯糸２の挿入を妨げず、しかも挿入直後の緯糸２を緯糸探知装置７に向けて筬３よりも織り前１９側に早く移動させて押し込ませる事が出来る。即ち本発明は、筬打ち運動がクランク機構によって行われるため、筬３の移動速度が往復ストロークの一端ではゼロであるが、他端に向けて移動する時には、上記ストロークの中央まで次第に増加し、該中央から
（Ｂ）はその筬打ち時の概略側面図。
（図２）（Ａ）は緯糸探知装置の設置側における織機の概略平面図。
（Ｂ）は緯糸探知装置とアームとの関係を示す概略正面図。
（Ｃ）は緯糸が探知部を通過時の側面図。
（Ｄ）はＣ図の平面図
（図３）（Ａ）は本発明の第２実施例を示すジェット織機の緯糸挿入時の要部概略側面図。
（Ｂ）はその筬打ち時の概略側面図。
【符号の説明】
１．経糸
２．緯糸
３．筬
４．アーム
５．ストッパ
６．バネ
７．緯糸探知装置
２３．ウェート
２２．センサー
２１．鉄片
【図１】
2009249804.tif 000003
【図２】
2009249804.tif 000004
【図３】
2009249804.tif 000005
【手続補正書】
【提出日】平成20年6月23日(2008.6.23)
【手続補正２】
【補正対象書類名】明細書
【補正対象項目名】全文
【補正方法】変更
【補正の内容】
【発明の詳細な説明】
【技術分野】
【０００１】本発明は、ジェット織機の緯糸押し込み装置の改良に関するものである。
【背景技術】
【０００２】ジェット織機は開口運動で開口された経糸側にそって、水又は空気によりなる流体をノズルより噴出し、毎回必要量だけ測長した緯糸を、この噴流にのせ、織機の一側より挿入して挿入直後の緯糸を緯糸探知装置のフック部又は緯糸係止用フック部に向けて押し込むアームと、該アームの前進移動端を規制するストッパと該アームを後退方向に付勢して緯糸挿入時に緯糸の挿入路より筬側に後退させ、筬打運動で緯糸を織り前に打ち込む動作を反復して織物を製造するものである。【０００３】上記緯糸の挿入ミスを検出するために、上記ノズル反対側に緯糸検出装置が設置されており、この装置によって挿入直後の緯糸の存在を確認し、緯糸の存在が確認出来ない時、織機の動作を停止させている。
【発明が解決しようとする課題】
【０００４】本発明は、特願平０８−３５０２８７号で提案している緯糸の挿入直後の緯糸を緯糸探知装置等に押し込ませることを可能にしたジェット織機において、確実に押し込みを増して緯糸の探知を正確に行う様にする押し込み装置の改良に関するものである。
【０００５】従来の緯糸押し込み装置では、緯糸太さによって押し込み不足でフックに緯糸が掛からなかったり、細い糸の場合、緯糸が切れたりする。緯糸の探知では、緯糸がアームに押されて探知部に通過するタイミングと、クランク軸でのタイミングセンサーと照合して行っている。従って、アームの動きの不ぞろいが探知ミスとなっている。
【課題を解決するための手段】
【０００６】本発明は、上記目的を達成するため、該アームは緯糸端を押し込む際、緯糸の太さにより慣性力を変えるために該アーム先端部にウェイトを設けて、その大きさを変える様にした。更には、従来は押し込む量（織前線からフックの間隔）が６〜７ｍｍだったが、ストッパの位置を変えて、それ以上に押し込めるため慣性力を増すためにも、ウェイトの設置が必要であり、このことによって緯糸の一側より入った糸の先端部は、張力が低い傾向であるが、押し込み量が増すことにより、先端部の張力がアップし、全幅一定張力となった。
【０００７】本発明では、緯糸探知装置で探知する時緯糸が探知部を通過する際の信号と、クランク軸１回転に１度設定した信号発生器の信号と照合しているが、本件では、フリーアームにて緯糸を押し込み探知部の通過のタイミングがずれることもある。
しかるに、アームの緯糸の探知部通過をアームの動きによりセンサーで感知し、クランク軸の信号発生器の信号とアーム信号とを照合したＡＮＤ信号で探知機の緯糸通過信号との照合などでほとんどズレのない照合作業が行われる様にした。
【発明実施の形態】
【０００８】図１の（Ａ）は、本発明の第一実施例を示すジェット織機の緯糸挿入部の要部概略平面図、（Ｂ）はその筬打ち時の概略側面図。図２の（Ａ）は、緯糸探知装置の設置側における織機の概略平面図、（Ｂ）は緯糸探知装置４  アームとの関係を示す概略正面図であって、図１において、１は経糸、２は緯糸、３は筬、４はアーム、５はストッパ、６はバネ、２３はウェイト、７は緯糸探知装置を示している。
【０００９】経糸１は、ワープビーム８から引き出され、バックレスト９、綾竹１０、ヘルド１１、１２、ブレストビーム１３、巻取りローラ１４、ガイドローラ１５を経て、クロスビーム１６に巻き取られる。
ヘルド１１、１２は、タペットカムからなる開口運動機構（図示省略）により、緯糸２の挿入毎に経糸１を交互に上下させて緯糸２の挿入路を開口形成する。
【００１０】緯糸２の挿入機構は、図面では省略しているが、緯糸２の挿入路の一側にノズル（図示省略）が設置され、このノズルから噴出される流体にのせて、毎回予め測長された緯糸２が他側に向けて飛ばされて挿入される。このノズルと反対側には、緯糸探知装置７及びこれに対応してアーム４が設置され、また横にはみ出した緯糸の切断用のハサミ１７と、切断後の緯糸屑を捕捉するキャッチコード１８が設置されている。緯糸探知装置７は、図１に示すような二股形状をなし、筬３に向けて開口部をもち開口内部の上下に緯糸２の存在を確認するための投光器及び受光器が設置されており、さらにその奥の内側下部に挿入された緯糸２を係止するためのフック部７ａを設けており、緯糸２が確認されない時、織機の運動を停止させるものである。
なお、ウォータジェット織機の場合では、投光器及び受光器は水にかからない別の位置に設置され、この位置から光ファイバーケーブルで上記二股形状部まで導かれ、該光ファイバーケーブルの端末に接続されるレンズを対向状態で設置される。
【００１１】筬３は、開口機構と連動する筬打ち運動機構のクランク（図示省略）によって、図３に示すような態様で駆動されて、筬打ち運動を行うものである。この筬３の前面上部、即ち織り前１９側の上部には、アーム４が枢軸４ａを介して筬打ち方向と同方向に遥動可能に吊り上げ支持してある。また、筬３の下部前面には、アーム４の前方へ移動端を規制するストッパ５を設置している。
又、アーム４の慣性力を増すには、アーム４そのものを重くすれば良いが、重くする事はアーム４が太くなるということで、緯糸挿入の妨げとなり良くない。アーム先端にウェイトを設ける事により、慣性力は効率よく増すことが出来る。
該アーム４の一部に鉄片２１を設け、織機フレームに固定されたセンサー２２と緯糸が探知部位置にある直前アームの鉄片２１とセンサーが感知位置に設定し糸信号と同期信号の照合を行っている。
【００１２】本発明の第１実施例は以上の構成からなり、次に動作を簡単に説明する。
先ず、開口運動で開口された経糸１列に沿って、水または空気よりなる流体をノズルより噴出し、毎回必要量だけ測長した緯糸２をこの噴流にのせ、織機の一側より挿入し、筬打ち運動で緯糸２を筬３により織り前１９に打ち込む動作を反復して、織物２０を製造し、クロスビームに巻き取っていく。
【００１３】上記緯糸２の挿入時には、アーム４を緯糸２の挿入路より筬３側に後退させておくことができ、緯糸２の挿入を妨げず、しかも挿入直後の緯糸２を緯糸探知装置７に向けて筬よりも織り前１９側に早く移動させて押し込ませる事が出来る、即ち、本発明は、筬打ち運動がクランク機構によって行われるため、筬３の移動速度が往復ストロークの一端ではゼロであるが、他端に向けて移動する時には、上記ストロークの中央まで次第に増加し、該中央から他端に向けて次第に減速されて、ゼロになる点に着目し、筬３が織り前１９側に向けて移動する時、その移動ストロークの中央までは次第に増速され、筬３の織り前１９側に移動時の前半で生じたアーム４の移動慣性力によって、アーム４を筬３よりも早く前方に移動させることが出来る。
ストッパ５は、上記慣性力によるアーム４の前方へ移動端を規制している。
【００１４】図４の（Ａ）は、本発明の第２実施例を示すジェット織機の緯糸挿入時の要部概略側面図、（Ｂ）はその筬打ち時の概略側面図であって、アーム４を筬３の支持脚部から立ち上げ支持した場合を示しており、他の構成及び動作は第１実施例と同様であるため、同一部材には同一符号を付して、その説明は省略する。
【発明の効果】
【００１５】挿入直後の緯糸を緯糸探知装置のフック部又は緯糸係止用フック部に押し込まれる力を増大させ、フック部掛りは確実となり、緯糸張力アップとなることを可能とした。
ジェット織機の緯糸探知が正確になり、織機の空止りが少なくなる緯糸押し込み装置を提供することが出来る。
【図面の簡単な説明】
【００１６】
【図１】（Ａ）は、本発明の第１実施例を示すジェット織機の緯糸挿入時の要部概略図（Ｂ）は、その筬打ち時の概略側面図
【図２】（Ａ）は、緯糸探知装置の設置側における織機の概略平面図（Ｂ）は、緯糸探知装置とアームとの関係を示す概略正面図（Ｃ）は、緯糸の探知部通過時の側面図（Ｄ）は、Ｃ図の平面図
【図３】（Ａ）は、本発明の第２実施例を示すジェット織機の緯糸挿入時の要部概略（Ｂ）は、その筬打ち時の概略側面図
【符号の説明】
【００１７】１．経糸
２．緯糸
３．筬
４．アーム
５．ストッパ
６．バネ
７．緯糸探知装置
２３．ウェイト
２２．センサー
２１．鉄片又は磁石